(57)【要約】【課題】  お盆に配膳された豪華な雰囲気を醸し出すことができる簡易な弁当用お盆を提供する。【解決手段】  一枚のブランクシートを折曲形成し、両端部分を貼着することによって、偏平な角筒状に形成する。偏平な角筒状に形成するブランクシーの平面部２の複数位置に、複数の切り込み３と切り込みによって形成される切り込み片４を筒内方向に折曲するクリースライン５とによって、お茶などの飲料容器12や飯器13及び菜器14が嵌まり込む容器収容部６を形成する。ブランクシート１の平面部と底面部に、側面フラップ８、９を突出させ、上下に対向する側面フラップ８と９を係合させることによって丈夫なお盆を形成する。平面部の先端を延長するとともに折り返して二重構造の立ち上がりフラップ10を形成する。立ち上がりフラップの先端は、底面部の先端に形成される背面部に貼着される。【選択図】  図１
0003109983.tif 000002
【実用新案登録請求の範囲】
【請求項１】
一枚のブランクシートを折曲形成して両端部分を貼着することによって偏平な角筒状に形成し、該偏平な角筒状に形成するブランクシートの平面部の複数位置に複数の切り込みと、該切り込みによって形成される切り込み片を筒内方向に折曲するクリースラインとによって容器が嵌まり込む容器収容部を形成するとともに、角筒状に折曲形成する平面部と底面部にそれぞれ側面フラップを突出させ、上下に対向する平面部の側面フラップと底面部の側面フラップが、筒内方向に折曲した状態で係合する係合形状としたことを特徴とする弁当用お盆。
【請求項２】
角筒状に折曲するブランクシートの平面部の背面端部分に上方に折曲して立ち上がる、立ち上がりフラップを形成し、該立ち上がりフラップは折り返して二重構造とし、立ち上がりフラップの先端は、ブランクシートの底面部に連続して角筒状を形成するように、底面部もしくは底面部から立ち上げた背面部に貼着したことを特徴とする請求項１記載の弁当用お盆。
【請求項３】
平面形状を横長方形に形成し、平面部に飯器、菜器、お茶などの飲料容器の容器収容部を形成し、該容器収容部は容器の平面形状のクリースラインから内方に向けて切り込み片を形成し、該切り込み片の先端部分が容器の底面を支受し、容器収容部に装着された容器を弾性的に支持することを特徴とする請求項１又は２記載の弁当用お盆。
【考案の詳細な説明】
【技術分野】
【０００１】
この考案は、主とし団体旅行などで目的地においてお客に配る弁当であって、なるべく豪華な気分で弁当を食することができる簡易なお盆であり、弁当として提供することができる弁当用お盆の構造に関するものである。
【背景技術】
【０００２】
駅弁や団体旅行に際し、旅先でお客に配布する弁当として、紙箱や折箱が古くから用いられている。このような箱形状の弁当箱では、お膳のような豪華な雰囲気を味わうことができない。一方、従来の平面的なお盆やお膳を利用するのは、その供給や回収を考慮すると実現性に乏しい。平面的で廃棄可能な、紙製のお盆を提供しても、屋外や車内では、お盆に載せた飯器や菜器が安定しないばかりでなく、お盆そのものの強度が不足し安心して食することができない。
なお、暖かいご飯を美味しく食したいという要望と、衛生管理上冷やした状態で安全に供給したいという要求がある。従来の弁当箱には、実用新案登録第３０７０６６３号公報に開示されるように一つの紙箱である容器の中に発熱剤を挿入しておき暖かい状態で供給するものや、実用新案登録第３０７５１３３号公報に開示されるように一つの弁当箱容器の中に貯冷剤を挿入しておき、食品を冷却した状態で供給する思想が知られている。
【考案の開示】
【考案が解決しようとする課題】
【０００３】
従来の駅弁などの弁当箱は、一つの容器内におかずやご飯が、例えば仕切られた状態で収容されている。そのため、ご飯やおかずが配膳された豪華な食事、といった雰囲気を味わうことができなかった。また、旅先などで提供する食事用の簡単なお盆といったものはなかった。
【０００４】
上記、従来技術の欠点に鑑み、本考案は、お弁当として供給し旅行者などに配布したとき、利用者はご飯やおかずが所定位置に配置されたお膳のような、豪華な雰囲気を味わうことができるとともに、飯器や菜器が安定し使い易く、しかも強度的にも丈夫で安心して利用することができるお盆を提供することにある。さらに、本考案の別の目的は、お盆を安価に提供するとともに、弁当の供給者が資材として保管する場合に、嵩張らず効率的に保管しておくことができる構造を実現することを目的とするものである。
【課題を解決するための手段】
【０００５】
上記、従来技術の欠点を解消するため、請求項１記載の考案は、一枚のブランクシート１を折曲形成して両端部分を貼着することによって、偏平な角筒状に形成する。偏平な角筒状に形成するブランクシート１の平面部２の複数位置に、複数の切り込み３，３と、切り込み３，３によって形成される切り込み片４，４を筒内方向に折曲するクリースライン５とによって容器が嵌まり込む容器収容部６を形成する。また、角筒状に折曲形成するブランクシート１の平面部２と底面部７にそれぞれ側面フラップ８及び９を突出させ、上下に対向する平面部の側面フラップ８と、底面部の側面フラップ９は、筒内方向に折曲した状態で係合する係合形状とする。
【０００６】
請求項２記載の考案は、筒状に折曲する場合のブランクシート１の背面端部分に折曲して上方に立ち上がる立ち上がりフラップ10を形成したものである。この立ち上がりフラップ10は折り返して二重構造とし、ブランクシート１の底面部７に連続して角筒状を形成するように、底面部もしくは底面部から立ち上げた背面部11に貼着する。
【０００７】
請求項３記載の考案は、平面形状を横長方形に形成し、平面部２，２に飯器、菜器、お茶などの飲料容器の容器収容部６，６を形成する。この容器収容部６は、容器の平面形状に一致させたクリースライン５，５から内方に向けた切り込み３，３によって切り込み片４，４を形成し、切り込み片４，４の先端部分が、容器収容部６に挿入した飲料容器12や、飯器13、菜器14の底面を弾性的に支持する支受させるものである。
【考案の効果】
【０００８】
請求項１記載の本考案弁当用お盆によれば、一枚のブランクシート１から偏平な角筒状に組立てることによって、弁当容器に相当するお盆を簡単に形成することができる。偏平な、角筒状に形成するお盆の容器収容部６，６に、それぞれ、飲料容器12や、飯器13、菜器14といった容器を配置することによって豪華な雰囲気の弁当として、旅先などにおいてお客に提供することができる。複数の容器にご飯や惣菜を別々に収容したお弁当は従来から提供されているが、従来のものでは食事する場合に置き場所に困り、例えば膝の上から滑り落ちてしまうようなことがあった。これに対し、本考案では個々の容器を容器収容部６に滑り落ちないようにしっかりと保持させることができるため、安心して食事に供することができる。また、弁当の供給業者にとっては、角筒状に組立てる前の状態、すなわちブランクシート１が二つ折りにされた状態で保管することができるため、従来の紙箱その他の弁当箱や、折箱のように嵩張ることがなく、効率的に保管することができる効果がある。
【０００９】
請求項２記載の考案によれば、偏平な角筒状に形成されるお盆の背面部分に、二重構造の丈夫な立ち上がりフラップ10を形成するため、お盆全体の強度を向上させることができるとともに、お盆の上に配置する飯器や菜器が前方に滑り落ちるのを防止することができ、安心して使用することができる効果がある。
【００１０】
請求項３記載の考案によれば、横長方形に形成したお盆の平面部２に、お茶などの飲料容器12、飯器13、菜器14を配置することによって使い勝手に優れたものとすることができる。容器収容部６に配置した飲料容器などの容器は、底面を切り込み片４によって支受されることから、弾性的にしっかりと支受されるとともに、衝撃や揺れに対して容器を確実に保持し、より使い勝手のよいものとすることができる。
【考案を実施するための最良の形態】
【００１１】
以下、本考案に係る弁当用お盆の好ましい実施形態を添付の図面に基づいて説明する。
図１は、パック容器、飯器及び菜器を含む本考案に係る弁当用お盆の斜視図、図２は弁当用お盆を構成するブランクシートの展開図である。
本考案に係る弁当用お盆は、一枚のブランクシートから形成する。すなわち、図２に示すように一枚のブランクシート１を幅方向のクリースライン17，18，19，20によって折曲形成し、両端部分を貼着することによって偏平な方形筒状のお盆とする。
【００１２】
クリースライン17〜20は弱化線や点線の切り込みによって容易に折曲することができるものであって、クリースライン17〜19いずれも山折り、クリースライン20は谷折りとすることによって偏平な方形筒状に形成する。すなわち、クリースライン17と18によって大きな面の底面部７が、クリースライン18と19によって細幅の正面部21が、クリースライン19と20によって平面部２が形成される。平面部２の延長方向には、クリースライン20によって折曲される立ち上がりフラップ10を形成する。立ち上がりフラップ10は、クリースライン20’によって二つ折りとし、その先端を底面部７の延長方向に形成した背面部11に貼着することによって、偏平な角筒状に形成する。
【００１３】
図２において、点描を施した部分は貼着面であり、二つ折りに折り返した立ち上がりフラップを貼着することによって、二重構造の丈夫な壁が形成され、横曲げ方向の力に対して強度が向上するとともに、食事をする場合の衝立のように機能し、お盆上のものが転がり落ちるのを防止することができる。立ち上がりフラップは、折り返し寸法を大きくし、その先端を底面部７から延長させた背面部11に貼着している。
図示実施形態においては、平面部２を延長させた立ち上がりフラップを二つ折りとし、先端を底面部７から延長させた背面部11に貼着しているが、背面部から立ち上がりフラップを延長し、平面部から延長させた立ち上がりフラップに貼着して二重構造とすることもできる。
【００１４】
偏平な角筒状に形成したブランクシート１の平面部２表面には、その複数位置に複数の切り込み３，３と、切り込み３，３によって形成される切り込み片４，４を筒内方向に折曲するクリースライン５とによって、お茶などの飲料が入った飲料容器12や飯器13、菜器14といった食品を収容した容器が嵌まり込む複数の容器収容部６を形成する。図面上、切り込み３は十字状であって、方形のクリースラインによって方形の容器収容部６を形成している。しかしながら、容器収容部６の平面形状は方形だけでなく、円形等容器の平面形状に一致させる。例えば、飲料容器の容器収容部は、方形のパック容器、円形の缶入り飲料、さらに変形の樹脂容器などが考えられる。
なお、平面部２と立ち上がりフラップ10には、クリースライン20を横切るように一定間隔を隔て、クリースライン20と交差する方向に一対の短い切り込み22，22を設け、切り込み22，22に挟まれた範囲を表面側に起こすことによって箸挿入部23を形成している。
【００１５】
平面部２と底面部７の左右側縁には、クリースライン24，25，26，27によって折曲される側面フラップ８及び９を側方に突出させ、平面部の側面フラップ８と、底面部の側面フラップ９をそれぞれ筒内方向に折曲し該筒内方向に折曲した状態で上下に対向する側面フラップ８と９が係合するべく、側面フラップ８及び９の側縁にそれぞれ凹部と凸部が対向する位置関係で、凹凸形状を形成している。
【００１６】
以上の構成とすることによって、本考案に係る弁当用お盆は、図１に示すように一定の厚みのあるしっかりとした状態に組立て、複数の容器収容部６，６にそれぞれお茶などの飲料容器12、例えばパック容器や缶入り飲料や飯器13、菜器14などを収容するとともに、箸挿入部23に食事内容に応じて箸28やスプーンなどの付属品を挿入保持させて食事に供する。食事に供さない場合、すなわち業者が資材として保管する場合は、側面フラップ８と９の係合を解除させ、クリースライン18のみを折り曲げ、他のクリースラインを折らないように伸ばすことにより、図５に示すようにブランクシートは二つ折り状態となり、従来の折箱や弁当箱のように嵩張らない状態で効率的に保管することができるものである。
【００１７】
本考案弁当用お盆の容器収容部６，６の平面形状は、飯器13や菜器14の身容器13a，14aあるいは飲料容器12を、しっかりと嵌め込むことができる大きさに合わせておく。これにより、容器収容部６に収容した容器が盲動して食事中にお盆から落とすようなことがなく、安心して使用することができるものとなる。この際、筒内方向に折曲される切り込み片６をクッションとして作用させることができる。すなわち、図６の(ａ)に示すように、容器収容部６に容器を挿入すると、切り込み片４は容器に押されて変形しながら移動し、容器を挿入し終わった、図６の(ｂ)では、切り込み片４の一部が容器の底面を支受することになる。
【００１８】
容器収容部６を形成するクリースライン５の内方に突出させた切り込み片４には、クリースライン５と一定の間隔を隔ててクリースライン5’を設けて、図６の(ａ)に示すように切り込み片４を折曲させている。すなわち、クリースライン５とクリースライン5’の間隔をお盆の厚み、すなわち正面部21及び背面部11の厚みよりも大きくすることによって、容器収容部６の側壁を傾斜させ、図６の(ｂ)に示すように、飯器などの食品の容器を嵌め込むことによって側壁部分が変形して弾性的に支受され、クッションとして機能する。したがって、容器収容部に収容した容器は、切り込み片の弾性によって内方に押圧された状態となり、この状態で容器に衝撃や横方向の力が作用したとしても、その衝撃は切り込み片の弾性によって吸収される。さらに、切り込み片の先端部分は、容器の底面を支受しているため、容器の自重によって押圧され、容器の盲動を防止する。
【００１９】
容器収容部６及び容器収容部に配置する容器の数、具体的形状、構造は特に限定されるものではないが、飯器や菜器として発泡スチロール容器のように、保温性、断熱効果の大きな材質のものを利用するのが好ましい。そして、飯器13の身容器13a底面に多数の通気孔16を、菜器14の蓋14bに多数の通気孔15を穿設しておくことにより特別の効果を奏することができる。(図７、図８参照)
【００２０】
すなわち、図８に示すように、お盆の左右に形成されている二つの大きな容器収容部６，６のうち、一方の容器収容部に菜器14を配置するとともに、他方の容器収容部６に十分に冷却した蓄冷剤29を収容し、お盆を左右交互に配置して大きなダンボール箱31などに収納し、団体旅行の旅先などに供給する。このとき、菜器14の直上には、上位置にあるお盆の容器収容部６に収容した蓄冷剤29が位置する。そのため、蓄冷剤29の冷気がお盆の底面部７を通して矢印で示すように菜器14内に入り込み惣菜を効果的に冷却する。
【００２１】
図８に示す使用形態では、十分に冷却された蓄冷剤29の冷気が、お盆の底面部７を通過して間接的に伝わり、菜器14の蓋14bに穿設した通気孔15から菜器14の身容器14a内に入り込む。そのため、菜器14内に収容した惣菜が冷え過ぎることがなく適度に冷却され、かつ蓄冷剤29の冷気を有効に利用することができ、長時間の保冷効果を発揮する。なお、菜器として発泡スチロールなど、断熱効果の優れた容器を利用することによって、より大きな保冷効果を期待することができる。
【００２２】
暖かい状態で供されることが要求される飯器は、飯器だけを別のダンボール箱などに収容して暖かい状態で供給する。そして、旅先において弁当として提供する時点で、お盆の容器収容部６に配置している蓄冷剤29を取り出し、取り出した容器収容部６に飯器13を挿入してお客に配布する。飯器13を搬送するダンボール箱は、保温効果に優れたものとする他、必要に応じて発熱剤などによる加熱手段を備えるものであるとよい。この使用形態は、主として暖かい季節の使用方法として適している。
【００２３】
図８に示す使用形態では、容器収容部６，６の一方の容器収容部に菜器14を、他方の容器収容部に蓄冷剤29を収容しているが、図７に示すように容器収容部６，６の一方の容器収容部に飯器13を、他方の容器収容部に発熱剤30を収容し、前記場合と同様にお盆を左右交互に配置してダンボール箱31に収容して供給することもできる。この場合、発熱剤30で発生した熱気が上方に立ち上がり、上位置のお盆の底面部７を介して、上位置のお盆の容器収容部に配置した飯器13の身容器13aの底面に穿設した通気孔16から、熱気が飯器13内に入り込んで、飯器13内のご飯を効果的に加熱する。
図７や図８の使用形態は、通気孔15を形成しない菜器や、通気孔16を形成しない飯器を使用することもできる。
【００２４】
上記、図７に示すように、一方の容器収容部に飯器を、他方の容器収容部に発熱剤を収容して使用する場合、菜器は別のダンボール箱などに収容して移送する。この実施形態は、ご飯が冷め易い冬季や寒冷地における使用方法として適している。
【図面の簡単な説明】
【００２５】
【図１】本考案に係る弁当用お盆の使用状態を示す分解斜視図、
【図２】本考案に係る弁当用お盆を展開した、ブランクシートの平面図、
【図３】本考案に係る弁当用お盆の平面図、
【図４】図３のＡ−Ａ線断面図、
【図５】本考案に係る弁当用お盆の畳んだ状態の斜視図、
【図６】容器を挿入する状態を示す、容器収容部の拡大断面図、
【図７】発熱剤を使用し、本考案に係るお盆をダンボール箱などに収容して輸送する状態を示す断面図、
【図８】蓄例剤を使用し、本考案に係るお盆をダンボール箱などに収容して輸送する状態を示す断面図。
【符号の説明】
【００２６】
１…ブランクシート、  ２…平面部、  ３…切り込み、  ４…切り込み片、  ５…クリースライン、  ６…容器収容部、  ７…底面部、  ８…側面フラップ、  ９…側面フラップ、  10…立ち上がりフラップ、  11…背面部、  12…飲料容器、  13…飯器、  13a…身容器、  13b…蓋、  14…菜器、  14a…身容器、  14b…蓋、  15…通気孔、  16…通気孔、  17〜20，24〜27…クリースライン、  21…正面部、  22…切り込み、  23…箸挿入部、  28…箸、  29…蓄冷剤、  30…発熱剤、  31…ダンボール箱。
【図１】
0003109983.tif 000003
【図２】
0003109983.tif 000004
【図３】
0003109983.tif 000005
【図４】
0003109983.tif 000006
【図５】
0003109983.tif 000007
【図６】
0003109983.tif 000008
【図７】
0003109983.tif 000009
【図８】
0003109983.tif 000010